(57)【要約】      （修正有）【課題】美容効果とリフトアップ効果を併せ持つパック用化粧品セットを提供する。【解決手段】少なくとも８本の帯状パックシートと、該帯状パックシートに含浸させるパック用化粧品と、フェイス用パックとの組合せから成り、少なくとも８本の帯状パックシートが、それぞれ特定の異なる用途に用いられるシートで、フェイス用パックが、帯状パックシートの上に積層される構成であることを特徴とする。【選択図】図２
0003149470.tif 000002
【実用新案登録請求の範囲】
【請求項１】
少なくとも８本の帯状パックシートと、該帯状パックシートに含浸させるパック用化粧品と、フェイス用パックとの組合せから成るパック用化粧品セット。
【請求項２】
少なくとも８本の帯状パックシートが、下記（１）〜（８）の用途に用いられるシートであることを特徴とする請求項１に記載のパック用化粧品セット。
（１）フェイスライン部に密着させ、保持するためのシート。
（２）１本の帯状パックシートを顎部でＶ字に折り曲げ、頬部に密着・保持するためのシート。
（３）首部と左右いずれかのフェイスライン部に密着させ、晴明（セイメイ）部で押さえ、額部まで斜めに延ばし保持するためのシート。
（４）上記（３）と左右対称に用い保持するためのシート。
（５）上記（１）〜（４）にて配置した帯状パックシートの全てと重なるように、両眼部を通過するように保持するためのシート。
（６）頬部で皮膚が露出している部分を埋めるように密着させ、保持するためのシート。
（７）額部で皮膚が露出している部分を埋めるように密着させ、保持するためのシート。
（８）フェイスライン下部の首部に密着させ、保持するためのシート。
【請求項３】
フェイス用パックが、帯状パックシートの上に積層される構成であることを特徴とする請求項１又は２に記載のパック用化粧品セット。
【請求項４】
水溶性フィルムと、少なくとも８本の帯状パックシートと、該帯状パックシートに含浸させるパック用化粧品と、フェイス用パックとの組合せから成るパック用化粧品セット。
【請求項５】
水溶性フィルムが、帯状パックシートを顔面上に実施する前に、顔面上に載置される構成であることを特徴とする請求項４に記載のパック用化粧品セット。
【考案の詳細な説明】
【技術分野】
【０００１】
本考案は、パック用化粧品セットに関し、詳しくは帯状パックシート、パック用化粧品及びフェイス用パックの組合せからなるパック用化粧品セットに関する。
【背景技術】
【０００２】
従来から、顔面の形状に近似させた態様のパックシートであって、不織布等に美容液等の化粧品を浸透又は含有させ、これを使用者の顔面・首等に密着状態となるように貼り付け、美容効果を顔面全面に亘って充分に発揮し得るパックシートが知られている（特許文献１、２）。
【特許文献１】実用新案登録第３１３４５４２号
【特許文献２】実用新案登録第３１４１５６５号
【考案の開示】
【考案が解決しようとする課題】
【０００３】
特許文献１の技術は、顔面全面シート（鼻部を除く。）と鼻部シートとの組合せから成り、美容液等の化粧水を前記各シートに浸透させて用いることを特徴とする化粧用パックシートである。シートは顔面の形や凹凸等に対応するように、目・鼻・口の部分に開口又は切込みを設け、顔の輪郭と略一致する形状に形成されている。
【０００４】
特許文献２の技術は、顔面シート部と首・デコルテシート部との組合せから成り、美容液等の化粧品を浸透させて用いる化粧用パックシートである。顔面シート部は、顔面の形や凹凸等に対応するように、目・鼻・口の部分に開口又は切込みを設け、顔の輪郭と略一致する形状に形成されている。また、首・デコルテシート部は、略半円形状に形成されている。
【０００５】
特許文献１の技術は、鼻部を除く顔面全面シートと、鼻部シートを別体構成にしたことにより、顔面全面シートが鼻部を除く顔面全面に馴染んだ状態で密着し、顔面から隆起する鼻部は鼻部シートが馴染んだ状態で密着することになるので、顔面全面にシートを馴染んだ状態で密着させることができる。
しかし、特許文献１の技術では、顔面に美容液等を浸透させることができても、顔面の皺やたるみを取り除く効果、即ちリフトアップ効果を得ることができない。
【０００６】
特許文献２の技術は、顔面だけでなく、首の前側全面やデコルテ部分に対する美容効果を発揮させることができる化粧用パックシートを提供することができる。
しかし、特許文献２の技術では、顔面及び首に美容液等を浸透させることができても、顔面及び首の皺やたるみを取り除く効果、即ちリフトアップ効果を得ることができない。
【０００７】
そこで、本考案の課題は、美容効果に加え、リフトアップ効果を有するパック用化粧品セットを提供することにある。
【課題を解決するための手段】
【０００８】
上記課題を解決する本考案は、下記構成を有する。
１．少なくとも８本の帯状パックシートと、該帯状パックシートに含浸させるパック用化粧品と、フェイス用パックとの組合せから成るパック用化粧品セット。
【０００９】
２．少なくとも８本の帯状パックシートが、下記（１）〜（８）の用途に用いられるシートであることを特徴とする請求項１に記載のパック用化粧品セット。
（１）フェイスライン部に密着させ、保持するためのシート。
（２）１本の帯状パックシートを顎部でＶ字に折り曲げ、頬部に密着・保持するためのシート。
（３）首部と左右いずれかのフェイスライン部に密着させ、晴明（セイメイ）部で押さえ、額部まで斜めに延ばし保持するためのシート。
（４）上記（３）と左右対称に用い保持するためのシート。
（５）上記（１）〜（４）にて配置した帯状パックシートの全てと重なるように、両眼部を通過するように保持するためのシート。
（６）頬部で皮膚が露出している部分を埋めるように密着させ、保持するためのシート。
（７）額部で皮膚が露出している部分を埋めるように密着させ、保持するためのシート。
（８）フェイスライン下部の首部に密着させ、保持するためのシート。
【００１０】
３．フェイス用パックが、帯状パックシートの上に積層される構成であることを特徴とする前記１又は２に記載のパック用化粧品セット。
【００１１】
４．水溶性フィルムと、少なくとも８本の帯状パックシートと、該帯状パックシートに含浸させるパック用化粧品と、フェイス用パックとの組合せから成るパック用化粧品セット。
【００１２】
５．水溶性フィルムが、帯状パックシートを顔面上に実施する前に、顔面上に載置される構成であることを特徴とする前記４に記載のパック用化粧品セット。
【考案の効果】
【００１３】
前記１に示す考案によれば、美容効果とリフトアップ効果を併せ持つパック用化粧品セットを提供することができる。
【００１４】
前記２に示す考案によれば、顔面及び首部の皺やたるみを帯状パックシートでもって引き伸ばすことができ、よりリフトアップ効果が高いパック用化粧品セットを提供することができる。
【００１５】
前記３に示す考案によれば、帯状パックシートが着用者の顔面肌に直接貼付され、その上からフェイス用パックの美容成分が顔面肌に浸透するので、美容効果とリフトアップ効果のより高いパック用化粧品セットを提供することができる。
【００１６】
前記４に示す考案によれば、帯状パックシートによるリフトアップ効果を高めることができる。
【００１７】
前記５に示す考案によれば、帯状パックシートによるリフトアップ効果をより高めることができる。
【図面の簡単な説明】
【００１８】
【図１】帯状パックシートの実施例を示す正面図
【図２】帯状パックシートの用途を示す説明図
【考案を実施するための形態】
【００１９】
次に、添付の図面に従って、本考案を詳細に説明する。
【００２０】
図１は帯状パックシートの一実施例を示す正面図、図２は帯状パックシートの用途を示
す説明図である。
本考案に係るパック用化粧品セットは、少なくとも８本の帯状パックシート、該帯状パックシートに含浸させるパック用化粧品、及びフェイス用パックによって構成される。
【００２１】
先ず、帯状パックシート１について説明する。
図１に示す帯状パックシート１は、その形状は包帯の如き帯状の長方形であり、短辺の長さが３０ｍｍから１００ｍｍであって長辺の長さが２５０ｍｍから４５０ｍｍであることが好ましく、短辺の長さが５０ｍｍであって長辺の長さが３５０ｍｍであることがより好ましい。
【００２２】
帯状パックシート１は、布又は不織布によって形成され、例えば、布であればガーゼ布を挙げることができ、不織布であればセルロース繊維を挙げることができる。
中でも、低発塵性、吸液性、耐熱性、拭き取り性、不純物の少なさ等の観点から、セルロース極細長繊維から構成される不織布を用いることが好ましい。例えば、旭化成せんい株式会社製の「ベンリーゼ（登録商標）」を挙げることができる。
帯状パックシート１は、いわゆる美容成分を含まない。後述するパック用化粧品を含浸させて用いるためである。
【００２３】
帯状パックシート１は、少なくとも８本が用いられる。
それぞれの帯状パックシート１は、使用者の顔面２、首部３を対象に用いられるもので、以下の用途に用いられる。
【００２４】
（１）図２（ａ）に示す帯状パックシート１１は、左右のこめかみ部２１と顎部２２とを結ぶフェイスライン部に密着させ、そこに保持する用途で用いられる。この際、顎部２２からこめかみ部２１の方向に皮膚を引き上げるように密着・保持する。
【００２５】
（２）図２（ｂ）に示す帯状パックシート１２は、左右いずれかの頬部２３に密着させ、顎部２２付近でこれを折り返し、他方の頬部２３に密着させ、そこに保持する用途で用いられる。この際、顎部２２から頬部２３の方向に皮膚を引き上げるように密着・保持する。保持後の帯状パックシート１２は、略Ｖ字の形状となる。
【００２６】
（３）図２（ｃ）に示す帯状パックシート１３は、首部３と左右いずれかのフェイスライン部に密着させ、フェイスライン部とは左右反対側の晴明（セイメイ）部２４で押さえ、額部２５まで斜めに延ばして保持する。この際、首部３から額部２５の方向に皮膚を引き上げるように密着・保持する。
晴明（セイメイ）とは、顔面における経穴（ツボともいう。）の名称であって、本考案において、晴明（セイメイ）部２４とは、目頭と鼻の付け根の間にある窪み付近の部分をいう。
【００２７】
（４）図２（ｄ）に示す帯状パックシート１４は、上記（３）に記載の帯状パックシート１３と左右対称に用い、密着・保持する。
【００２８】
（５）図２（ｅ）に示す帯状パックシート１５は、上記（１）〜（４）に記載の帯状パックシート１１〜１４の全てと重ね、更に両眼部２６を通過するように保持する。
【００２９】
（６）図２（ｆ）に示す帯状パックシート１６は、頬部２３で皮膚が露出している部分を埋めるように密着・保持する。この際、帯状パックシート１６を横Ｖ字に折り返して密着・保持してもよいし、折り返さずに密着・保持してもよい（図は折り返さない実施例。）。また、頬部２３に保持した際に、帯状パックシート１６の両端が余り、頬部２３をはみ出る場合は、両端を頬部２３側に折り返してもよい。
【００３０】
（７）図２（ｇ）に示す帯状パックシート１７は、額部２５で皮膚が露出している部分を埋めるように密着・保持する。この際、帯状パックシート１７を横Ｖ字に折り返して密着・保持してもよいし（図は横Ｖ字に折り返す実施例。）、折り返さずに密着・保持してもよい。また、額部２５に保持した際に、帯状パックシート１７の両端が余り、額部２５をはみ出る場合は、両端を額部２５側に折り返してもよい。
【００３１】
（８）図２（ｈ）に示す帯状パックシート１８は、フェイスライン下部の首部３に沿って密着・保持する。この際、帯状パックシート１８を横Ｖ字に折り返して密着・保持してもよいし（図は横Ｖ字に折り返す実施例。）、折り返さずに両端を鎖骨側に折り曲げて密着・保持してもよい。帯状パックシート１８は、首部３の前側全体を覆うように密着・保持することが好ましい。
【００３２】
上記（１）〜（８）に示す各帯状パックシート１１〜１８は、本考案において、その使用順序に限定はないが、（１）から（８）の順に使用することが好ましい。
また、本考案に用いられる帯状パックシート１は、少なくとも８本であるが、それ以上の帯状パックシート１を用いることもできる。例えば、上記（６）又は（７）に記載の帯状パックシート１６又は１７について、１本の帯状パックシートでは、頬部２３又は額部２５で皮膚が露出している部分を埋めることができない場合に、２本以上の帯状パックシートを使用することができる。
【００３３】
帯状パックシート１は、パック用化粧品を含浸させて用いられる。パック用化粧品は、帯状パックシート１を顔面２に保持する前に含浸させても良いし、顔面２に保持した後に含浸させても良いが、帯状パックシート１と顔面の皮膚との密着性に鑑み、顔面２に保持する前にパック用化粧品を含浸させることが好ましい。
【００３４】
パック用化粧品としては、美容効果（例えば、美肌・美白効果。）がある美容液が挙げられ、一般にパック用として使用されているものに限定されず、化粧水、乳液又はスキンクリーム等の保湿・美白等の美容に効果を発揮する液体又は半液体（クリーム状、ペースト状のものを含む。）として公知公用の化粧品の中から最適なものを選択することができる。
【００３５】
パック用化粧品として使用する化粧品は、使用者の肌の状態や、求める美容効果（例えば、美肌・美白効果。）等に応じて選択することができる。帯状パックシート１に、美容成分が含まれず、パック用化粧品を含浸させて用いる構成としたのはこのためである。
【００３６】
フェイス用パックは、美容効果（例えば、美肌・美白効果。）があるクリーム状・ゼリー状・ペースト状のパックや泥パックが用いられる。本考案において、使用するフェイス用パックについては特に限定が無く、公知公用のフェイス用パックを使用することができる。
【００３７】
フェイス用パックは、顔面に保持した帯状パックシート１の上に積層されるように、その上から塗付する。
【００３８】
本考案において、水溶性フィルムを併せて用いてもよい。即ち、水溶性フィルムを顔面上に載置してもよく、この水溶性フィルムは帯状パックシート１に含浸されたパック用化粧品によって溶解し、帯状パックシート１のリフトアップ効果を高めることができる。かかる水溶性フィルムとしては、当業界で公知公用のものを特別の制限なく使用することができ、例えば、顔面形状であって鼻及び口に相当する位置に開口部を有する水溶性フィルムが挙げられる。
【００３９】
本考案に係るパック用化粧品セットは、使用者自らが使用することもできるが、主な用途は、エステティックサロン等において、エステティシャン等が顧客に対して施術するためのものである。
【符号の説明】
【００４０】
１  帯状パックシート
１１  上記（１）に記載の帯状パックシート
１２  上記（２）に記載の帯状パックシート
１３  上記（３）に記載の帯状パックシート
１４  上記（４）に記載の帯状パックシート
１５  上記（５）に記載の帯状パックシート
１６  上記（６）に記載の帯状パックシート
１７  上記（７）に記載の帯状パックシート
１８  上記（８）に記載の帯状パックシート
２  顔面
２１  こめかみ部
２２  顎部
２３  頬部
２４  晴明（セイメイ）部
２５  額部
２６  眼部
３  首部
【図１】
0003149470.tif 000003
【図２】
0003149470.tif 000004